(57)【要約】【課題】液晶容量の極性差による応答特性の差を少なくする。【解決手段】ＬＵＴ５４２は、供給された表示データＤvと、当該表示データよりも１フレーム前の表示データＤpとに対応した補償値Ｏdを出力する。係数決定回路５４３は、極性指定信号Ｆrpによって正極性または負極性のいずれか一方に変換する場合に１よりも大なる係数αを出力し、正極性または負極性のいずれか他方に変換する場合に１の係数αを出力する。乗算回路５４４は、補償値Ｏdに係数αを乗算し、加算回路５４５は、乗算値α・Ｏdに表示データＤvを加算して、応答補償処理した表示データＤbとして出力する。Ｄ／Ａ変換回路５６は、表示データＤbを極性指定信号Ｆrpで指定された極性に変換してデータ信号として出力する。【選択図】図１
2009063604.tif 000002
【特許請求の範囲】
【請求項１】
それぞれデータ信号の電圧に応じた階調となる複数の画素を有する電気光学装置において、
前記複数の画素の各々に対応して供給された表示データを、極性指定信号にしたがって所定の電位を基準として高位である正極性および低位である負極性の電圧に交互に変換し、前記データ信号として供給するデータ処理回路であって、
前記表示データと、当該表示データよりも１フレーム前の表示データとに対応した応答補償値を出力するルックアップテーブルと、
前記極性指定信号によって正極性または負極性のいずれか一方に変換する場合に、前記ルックアップテーブルによる応答補償値に所定の係数を乗算した値を、当該表示データに加算し、
前記表示データを前記極性指定信号によって正極性または負極性のいずれか他方に変換する場合に、前記ルックアップテーブルによる応答補償値を当該表示データに加算して、それぞれ補償済みの表示データとして出力する演算回路と、
前記補償済みの表示データを前記極性指定信号で指定された極性に変換して、前記データ信号として出力する変換回路と、
を具備することを特徴とする電気光学装置のデータ処理回路。
【請求項２】
前記演算回路は、
前記極性指定信号によって正極性または負極性のいずれか一方に変換する場合に１よりも大なる係数を出力し、正極性または負極性のいずれか他方に変換する場合に１の係数を出力する係数決定回路と、
前記ルックアップテーブルによる応答補償値に、前記係数決定回路による係数を乗算する乗算回路と、
供給された表示データに、前記乗算回路による乗算値を加算する加算回路と
を含むことを特徴とする請求項１に記載の電気光学装置のデータ処理回路。
【請求項３】
前記係数決定回路は、正極性または負極性のいずれか一方に変換する場合の係数を、前記表示データで示される階調変化が小さくなるにつれて、大きくなるように出力する
ことを特徴とする請求項２に記載の電気光学装置のデータ処理回路。
【請求項４】
前記画素の階調を測定する光センサを有し、
前記係数決定回路は、正極性または負極性のいずれか一方に変換する場合に出力する係数を、前記光センサの測定結果に基づき決定する
ことを特徴とする請求項２に記載の電気光学装置のデータ処理回路。
【請求項５】
それぞれデータ信号の電圧に応じた階調となる複数の画素を有する電気光学装置において、
前記複数の画素の各々に対応して供給された表示データを、極性指定信号にしたがって所定の電位を基準として高位である正極性および低位である負極性の電圧に交互に変換し、前記データ信号として供給するデータ処理回路であって、
前記極性指定信号によって正極性または負極性のいずれか一方に変換する場合に、前記表示データと、当該表示データよりも１フレーム前の表示データとに対応した応答補償値を出力する第１ルックアップテーブルと、
前記極性指定信号によって正極性または負極性のいずれか他方に変換する場合に、前記表示データと、当該表示データよりも１フレーム前の表示データとに対応した応答補償値を出力する第２ルックアップテーブルと、
前記極性指定信号によって正極性または負極性のいずれか一方に変換する場合に、前記第１ルックアップテーブルによる応答補償値を前記表示データに加算し、
正極性または負極性のいずれか他方に変換する場合に、前記第２ルックアップテーブルによる応答補償値を前記表示データに加算して、それぞれ補償済みの表示データとして出力する加算回路と、
前記補償済みの表示データを前記極性指定信号で指定された極性に変換して、前記データ信号として出力する変換回路と、
を具備することを特徴とする電気光学装置のデータ処理回路。
【請求項６】
それぞれデータ信号の電圧に応じた階調となる複数の画素を有する電気光学装置において、
前記複数の画素の各々に対応して供給された表示データを、極性指定信号にしたがって所定の電位を基準として高位である正極性および低位である負極性の電圧に交互に変換し、前記データ信号として供給するデータ処理方法であって、
前記表示データと、当該表示データよりも１フレーム前の表示データとに対応した応答補償値を出力し、
前記極性指定信号によって正極性または負極性のいずれか一方に変換する場合に、出力した応答補償値に所定の係数を乗算した値を、当該表示データに加算し、
前記表示データを前記極性指定信号によって正極性または負極性のいずれか他方に変換する場合に、前記応答補償値を当該表示データに加算して、補償済みの表示データとして出力し、
前記補償済みの表示データを前記極性指定信号で指定された極性に変換して、前記データ信号として出力する
ことを特徴とする電気光学装置のデータ処理方法。
【請求項７】
データ信号の電圧に応じた階調となる複数の画素を有する電気光学装置であって、
前記複数の画素の階調を指定する表示データに前記画素の応答補償する処理を施し、前記データ信号として供給するとともに、同一画素に供給するデータ信号を、極性指定信号にしたがって所定の電位を基準として高位である正極性および低位である負極性の電圧に交互に変換するデータ処理回路を有し、
前記データ処理回路は、
供給された表示データと、当該表示データよりも１フレーム前の表示データとに対応した応答補償値を出力するルックアップテーブルと、
前記極性指定信号によって正極性または負極性のいずれか一方に変換する場合に、前記ルックアップテーブルによる応答補償値に所定の係数を乗算した値を、当該表示データに加算し、
前記表示データを前記極性指定信号によって正極性または負極性のいずれか他方に変換する場合に、前記ルックアップテーブルによる応答補償値を当該表示データに加算して、補償済みの表示データとして出力する演算回路と、
前記補償済みの表示データを前記極性指定信号で指定された極性に変換して、前記データ信号として出力する変換回路と、
を具備することを特徴とする電気光学装置。
【請求項８】
請求項７に記載の電気光学装置を備えることを特徴とする電子機器。
【発明の詳細な説明】
【技術分野】
【０００１】
本発明は、極性差によって応答補償に生じる差を少なくする技術に関する。
【背景技術】
【０００２】
電気光学材料、特に液晶は、電気的な変化に対する光学的な応答速度が低い。このため、液晶の電気光学的な変化を用いて表示を行う電気光学装置では、ＣＲＴなどの他の表示装置と比較して、動画の表示特性が悪い、という問題が指摘されている。そこで、画像データで指定される階調（電圧）を、ルックアップテーブルなどを用いて、１フレーム前の画像データで指定される階調で応答補償を行うという、いわゆるオーバードライブと呼ばれる技術が提案されている（特許文献１、２参照）。
【０００３】
一方、液晶を用いた電気光学装置では、画素毎に液晶容量が設けられ、当該液晶容量では、画素電極および対向電極で液晶が挟持される構成である。液晶に直流が印加されると劣化するので、画素電極に印加する電圧を、対向電極に対して高位側（正極性）の電圧と低位側（負極性）の電圧とで交互に切り替える交流駆動が原則である。
ここで、画素電極を薄膜トランジスタ（thin film transistor：以下「ＴＦＴ」と称する）により駆動するアクティブマトリクス型では、いわゆるプッシュダウン（フィールドスルー、突き抜けとも呼ばれる）が発生する。さらに、液晶容量のリークは、正極性の電圧を保持する場合と負極性の電圧を保持する場合とで異なる。
このため、画素電極に印加する電圧の極性基準と対向電極に印加する電圧と一致させると、同じ階調に相当する正・負極性の電圧であっても、正極性の電圧を保持する場合と負極性電圧の電圧を保持する場合とで液晶容量の電圧実効値が異なる、という極性差が生じて、液晶容量に直流成分が印加されてしまうことになる。
そこで、ある階調に相当する正・負極性の電圧を交互に印加したときに、フリッカーが最小となるように、工場出荷時に対向電極の電圧を調整する技術（例えば、特許文献３参照）が提案されている。
【特許文献１】特開２００１−２６５２９８号公報
【特許文献２】特開平７−２０８２２８号公報
【特許文献３】特開２００５−２２１５６９号公報
【発明の開示】
【発明が解決しようとする課題】
【０００４】
しかしながら、なんらかの理由によって、例えば経年変化によって極性差が生じてしまう場合がある。極性差が生じると、応答補償を行う場合に、正極性と負極性とで応答補償特性に差が生じて表示品位に影響を与えてしまう、という問題が指摘された。
本発明は、上述した事情に鑑みてなされたもので、その目的の１つは、極性差が生じていても、応答特性の差を小さくして表示品位に影響が発生しないような技術を提供することにある。
【課題を解決するための手段】
【０００５】
上記目的を達成するために、本発明に係る電気光学装置のデータ処理回路は、それぞれデータ信号の電圧に応じた階調となる複数の画素を有する電気光学装置において、前記複数の画素の各々に対応して供給された表示データを、極性指定信号にしたがって所定の電位を基準として高位である正極性および低位である負極性の電圧に交互に変換し、前記データ信号として供給するデータ処理回路であって、前記表示データと、当該表示データよりも１フレーム前の表示データとに対応した応答補償値を出力するルックアップテーブルと、前記極性指定信号によって正極性または負極性のいずれか一方に変換する場合に、前
記ルックアップテーブルによる応答補償値に所定の係数を乗算した値を、当該表示データに加算し、前記表示データを前記極性指定信号によって正極性または負極性のいずれか他方に変換する場合に、前記ルックアップテーブルによる応答補償値を当該表示データに加算して、それぞれ補償済みの表示データとして出力する演算回路と、前記補償済みの表示データを前記極性指定信号で指定された極性に変換して、前記データ信号として出力する変換回路と、を具備することを特徴とする。この構成によれば、いずれか一方の極性に変換する場合に、ルックアップテーブルによる応答補償値に係数を乗算した値が用いられる一方、いずれか他方の極性に変換する場合に、ルックアップテーブルによる応答補償値がそのまま用いられる。このため、極性差が生じている場合の応答特性の差を小さくすることが可能となる。
【０００６】
本発明において、前記演算回路は、前記極性指定信号によって正極性または負極性のいずれか一方に変換する場合に１よりも大なる係数を出力し、正極性または負極性のいずれか他方に変換する場合に１の係数を出力する係数決定回路と、前記ルックアップテーブルによる応答補償値に、前記係数決定回路による係数を乗算する乗算回路と、供給された表示データに、前記乗算回路による乗算値を加算する加算回路とを含む構成としても良い。この構成において、前記係数決定回路は、正極性または負極性のいずれか一方に変換する場合の係数を、前記表示データで示される階調変化が小さくなるにつれて、大きくなるように出力しても良い。これにより、階調変化が小さいほど、極性差による影響が大きくなるのを防止することができる。
また、この構成において、前記画素の階調を測定する光センサを有し、前記係数決定回路は、正極性または負極性のいずれか一方に変換する場合に出力する係数を、前記光センサの測定結果に基づき決定しても良い。これにより適宜適切な係数を出力することが可能となる。
【０００７】
また、本発明に係る電気光学装置のデータ処理回路は、それぞれデータ信号の電圧に応じた階調となる複数の画素を有する電気光学装置において、前記複数の画素の各々に対応して供給された表示データを、極性指定信号にしたがって所定の電位を基準として高位である正極性および低位である負極性の電圧に交互に変換し、前記データ信号として供給するデータ処理回路であって、前記極性指定信号によって正極性または負極性のいずれか一方に変換する場合に、前記表示データと、当該表示データよりも１フレーム前の表示データとに対応した応答補償値を出力する第１ルックアップテーブルと、前記極性指定信号によって正極性または負極性のいずれか他方に変換する場合に、前記表示データと、当該表示データよりも１フレーム前の表示データとに対応した応答補償値を出力する第２ルックアップテーブルと、前記極性指定信号によって正極性または負極性のいずれか一方に変換する場合に、前記第１ルックアップテーブルによる応答補償値を前記表示データに加算し、正極性または負極性のいずれか他方に変換する場合に、前記第２ルックアップテーブルによる応答補償値を前記表示データに加算して、それぞれ補償済みの表示データとして出力する加算回路と、前記補償済みの表示データを前記極性指定信号で指定された極性に変換して、前記データ信号として出力する変換回路と、を具備する構成としても良い。この構成によっても、極性差が生じている場合の応答特性の差を小さくすることが可能となる。
【０００８】
なお、本発明は、電気光学装置のデータ処理回路のみならず、データ処理方法としても、また、電気光学装置、さらには当該電気光学装置を有する電子機器としても概念することが可能である。
【発明を実施するための最良の形態】
【０００９】
以下、本発明の実施の形態について図面を参照して説明する。図１は、実施形態に係る電気光学装置の構成を示すブロック図である。
この図に示されるように、電気光学装置１は、表示パネル１０と処理回路５０とに大別される。このうち、処理回路５０は、走査制御回路５２およびデータ処理回路５４を含み、表示パネル１０とは、例えばＦＰＣ（flexible printed circuit）基板によって接続される。
【００１０】
走査制御回路５２は、外部上位装置（図示省略）から供給される同期信号Ｓyncに同期
して表示パネル１０を制御するための各種の制御信号を生成する。なお、これらの制御信号については適宜後述するものとする。
データ処理回路５４は、外部上位装置から供給される表示データＤvに応答補償処理を
施してアナログのデータ信号Ｖidとして出力するものである。なお、データ処理回路５４の詳細については後述する。また、表示データＤvは、表示パネル１０における画素の階
調を指定するデータであり、同期信号Ｓyncに同期して供給される。
【００１１】
次に、表示パネル１０について説明する。図２は、表示パネル１０の構成を示す図である。
この図に示されるように、表示パネル１０は、表示領域１００の周辺に走査線駆動回路１３０およびデータ線駆動回路１４０を内蔵した周辺回路内蔵型となっている。表示領域１００では、４８０行の走査線１１２が行（Ｘ）方向に延在するように設けられ、また、６４０列のデータ線１１４が列（Ｙ）方向に延在するように、かつ、各走査線１１２と互いに電気的に絶縁を保つように設けられ、さらに、４８０行の走査線１１２と６４０列のデータ線１１４との交差に対応して、画素１１０がそれぞれ配列している。したがって、本実施形態では、表示領域１００において画素１１０が縦４８０行×横６４０列でマトリクス状に配列することになるが、本発明をこの配列に限定する趣旨ではない。
【００１２】
画素１１０の構成について図３を参照して説明する。図３は、ｉ行及びこれと１行下で隣接する（ｉ＋１）行と、ｊ列及びこれと１列右で隣接する（ｊ＋１）列との交差に対応する２×２の計４画素分の構成を示している。なお、ｉ、（ｉ＋１）は、画素１１０が配列する行を一般的に示す場合の記号であって、この説明では、１以上４８０以下の整数である。また、ｊ、（ｊ＋１）は、画素１１０が配列する列を一般的に示す場合の記号であって、１以上６４０以下の整数である。
【００１３】
図３に示されるように、各画素１１０は、ｎチャネル型のＴＦＴ１１６と液晶容量１２０とを含む。
ここで、各画素１１０については互いに同一構成なので、ｉ行ｊ列に位置する画素で代表させて説明すると、当該ｉ行ｊ列の画素１１０におけるＴＦＴ１１６のゲート電極はｉ行目の走査線１１２に接続される一方、そのソース電極はｊ列目のデータ線１１４に接続され、そのドレイン電極は液晶容量１２０の一端である画素電極１１８に接続されている。また、液晶容量１２０の他端は、対向電極１０８に接続されている。この対向電極１０８は、全ての画素１１０にわたって共通であって、時間的に一定の電圧ＬＣcomが印加さ
れている。
【００１４】
この表示パネル１０は、特に図示しないが、素子基板と対向基板との一対の基板が一定の間隙を保って貼り合わせられるとともに、この間隙に液晶が封止された構成となっている。このうち、素子基板には、走査線１１２や、データ線１１４、ＴＦＴ１１６および画素電極１１８が走査線駆動回路１３０やデータ線駆動回路１４０とともに形成される一方、対向基板に対向電極１０８が形成されて、これらの電極形成面が互いに対向するように一定の間隙を保って貼り合わせられている。このため、本実施形態において液晶容量１２０は、画素電極１１８と対向電極１０８とが液晶１０５を挟持することによって構成されることになる。
なお、本実施形態では、液晶容量１２０において保持される電圧実効値がゼロに近けれ
ば、液晶容量を通過する光の透過率が最大となって白色表示になる一方、電圧実効値が大きくなるにつれて透過する光量が減少して、ついには透過率が最小の黒色表示になるノーマリーホワイトモードに設定されている。
【００１５】
この構成において、走査線１１２に選択電圧を印加し、ＴＦＴ１１６をオン（導通）させるとともに、画素電極１１８に、データ線１１４およびオン状態のＴＦＴ１１６を介して、階調（明るさ）に応じた電圧のデータ信号を供給すると、選択電圧を印加した走査線１１２とデータ信号を供給したデータ線１１４との交差に対応する液晶容量１２０に、階調に応じた電圧実効値を保持させることができる。
したがって、液晶容量１２０を透過する光は、画素毎に異ならせることが可能であり、これにより、表示領域１００において画像が形成される。
【００１６】
なお、走査線１１２が非選択電圧になると、ＴＦＴ１１６がオフ（非導通）状態となるが、このときのオフ抵抗が理想的に無限大とはならないので、液晶容量１２０に蓄積された電荷が少なからずリークする。このオフリークの影響を少なくするために、蓄積容量１０９が画素毎に形成されている。この蓄積容量１０９の一端は、画素電極１１８（ＴＦＴ１１６のドレイン）に接続される一方、その他端は、全画素にわたって容量線１０７に共通接続されている。この容量線１０７は、時間的に一定の電位、例えば対向電極１０８と同じ電圧ＬＣcomに保たれている。
【００１７】
走査線駆動回路１３０は、走査信号Ｇ1、Ｇ2、Ｇ3、…、Ｇ480を、それぞれ１、２、３、…、４８０行目の走査線１１２に供給するものである。ここで、走査線駆動回路１３０は、選択した走査線への走査信号を電圧Ｖddに相当するＨレベルとし、それ以外の走査線への走査信号を非選択電圧（接地電位Ｇnd）に相当するＬレベルとする。
【００１８】
図４は、走査線駆動回路１３０により出力される走査信号Ｇ1〜Ｇ480を、スタートパルスＤyとクロック信号Ｃlyとの関係において示すタイミングチャートである。
この図に示されるように、走査制御回路５２は、フレームの最初にクロック信号Ｃlyの半周期のパルス幅を有するスタートパルスＤyを供給するとともに、全期間にわたってデ
ューティ比が５０％のクロック信号Ｃlyを、走査線駆動回路１３０に供給する。なお、クロック信号Ｃlyの１周期分の期間をＨと表記している。
走査線駆動回路１３０は、スタートパルスＤyを、クロック信号Ｃlyの論理レベルが遷
移する毎に順次シフトするとともに、パルス幅を狭めて、走査信号Ｇ1、Ｇ2、Ｇ3、…、
Ｇ480として出力する。このため、走査信号Ｇ1、Ｇ2、Ｇ3、…、Ｇ480は、この順番でク
ロック信号Ｃlyの半周期毎に、当該半周期よりもやや狭い期間にわたってＨレベルとなる。なお、走査信号Ｇ1〜Ｇ480が順番にＨレベルとなる走査期間をＦaと表記している。ま
た、フレームとは、１枚の画像を表示パネル１０に表示させるのに要する期間をいい、表示データＤvにおいて画素の縦４８０行×横６４０列の分が供給される期間に一致する。
【００１９】
極性指定信号Ｆrpは、走査制御回路５２によって出力されて、液晶容量１２０に対する書込極性を、Ｈレベルであれば正極性に、Ｌレベルであれば負極性に、それぞれ変換することを指定する信号である。なお、極性指定信号Ｆrpは、図４に示されるように、フレームの期間毎に論理レベルが反転する。このため、本実施形態では、各フレームにおいてすべての書込極性が揃えられる面反転（フレーム反転）方式となるが、この面反転方式には限定されない。
また、正極性とは、対向電極１０８への印加電圧ＬＣcomよりも高位側に設定された基
準電圧Ｖc（図５または図６参照）に対して高位側の電圧をいい、負極性とは、基準電圧
Ｖcに対して低位側の電圧をいう。また、本実施形態においてデータ信号の極性について
は、電圧Ｖcを基準とするが、電圧については、特に説明のない限り、論理レベルのＬレ
ベルに相当する接地電位Ｇndを、電圧ゼロの基準としている。
【００２０】
データ線駆動回路１４０は、サンプリング信号出力回路１４２と、各データ線１１４にそれぞれ対応して設けられたｎチャネル型のＴＦＴ１４６とによって構成される。サンプリング信号出力回路１４２は、制御回路５２による制御信号Ｃtrl-xにしたがって図５ま
たは図６に示されるように、いずれかの走査線１１２が選択されて当該走査線への走査信号がＨレベルとなる期間に、順次排他的にＨレベルとなるサンプリング信号Ｓ1、Ｓ2、Ｓ3、…、Ｓ640を、データ線１１４の各々に対応するように出力するものである。なお、制御信号Ｃtrl-xとは、実際にはスタートパルスやクロック信号であるが、本発明では直接
関係しないので、説明を省略している。
【００２１】
次に、説明を図１に戻して、データ処理回路５４について説明する。
図１に示されるように、データ処理回路５４は、メモリ５４１、ルックアップテーブル（ＬＵＴ）５４２、係数決定回路５４３、乗算回路５４４、加算回路５４５およびＤ／Ａ変換回路５６を有する。
このうち、メモリ５４１は、外部上位装置（図示省略）から同期信号Ｓyncに同期して
供給される表示データＤvが一旦蓄積された後、１フレームの期間経過後に、表示データ
Ｄvを書き込んだ順に表示データＤpとして読み出されるフレームメモリである。したがって、メモリ５４１から読み出された表示データＤpは、外部上位装置から供給される表示
データＤvと同じ画素に対応するものであって、１フレーム前のものである。なお、実際
にはメモリ５４１に対する書き込み、および、読み出しは、走査制御回路５２が同期信号Ｓyncに同期して制御する。
【００２２】
ＬＵＴ５４２は、表示データＤvで指定される階調値と１フレーム前の表示データＤpで指定される階調値との組み合わせに対して、応答補償用の補償値Ｏdを予め記憶した２次
元テーブルである。
係数決定回路５４３は、極性指定信号Ｆrpで指定された書込極性に応じて係数αを出力するものである。また、係数決定回路５４３は、１フレーム前の表示データＤpで指定さ
れる階調値から、表示データＤvで指定される階調値への変化分に応じて係数αを決定す
る。なお、係数αについては後述する。
乗算回路５４４は、ＬＵＴ５４２による補償値Ｏdに、係数決定回路５４３による係数
αを乗算するものである。加算回路５４５は、表示データＤvに乗算回路５４４による乗
算値α・Ｏdを加算し、表示データＤbとして出力する。
Ｄ／Ａ変換回路５６は、応答補償処理が施された表示データＤbを、極性指定信号Ｆrp
がＨレベルである場合には、表示データＶbを正極性に、極性指定信号ＦrpがＬレベルで
ある場合には、表示データＶbを負極性に、それぞれ変換する。
【００２３】
次に、電気光学装置の動作について説明する。
表示データＤvは、１フレームの期間にわたって１行１列〜１行６４０列、２行１列〜
２行６４０列、３行１列〜３行６４０列、…、４８０行１列〜４８０行６４０列という画素の順番で供給される。このような供給において、走査制御回路５２は、１行１列〜１行６４０列の画素１行分の表示データＤvが供給される期間にわたって走査信号Ｇ1がＨレベルとなるように走査線駆動回路１３０を制御するとともに、１列目から６４０列目の画素に対応する表示データＤvの供給に合わせてサンプリング信号Ｓ1〜Ｓ640が順番にＨレベ
ルとなるようにサンプリング信号出力回路１４２を制御する。
【００２４】
表示データＤvが供給される１フレームにわたって極性指定信号ＦrpがＨレベルである
とする。外部上位装置から供給された１行１列の画素の階調を指定する表示データＤvは
、メモリ５４１から読み出された表示データＤp、すなわち、１フレーム前において１行
１列の画素の階調値を指定する表示データＤpとともに、ＬＵＴ５４２および係数決定回
路５４３にそれぞれ供給される。これにより、ＬＵＴ５４２からは、１行１列の画素に対
する補償値Ｏdが出力される一方、係数決定回路５４３からは、極性指定信号Ｆrpで指定
された正極性および１行１列の階調変化分に応じた係数αが出力される。そして乗算回路５４４によって補償値Ｏdに係数αが乗算されるとともに、その乗算値α・Ｏdが、表示データＤvに加算されて、表示データＤbとして出力される。この表示データＤbは、階調指
定信号Ｆrpで指定された正極性の電圧にＤ／Ａ変換回路５６により変換されて、画像信号線１７１にデータ信号Ｖidとして出力される。
なお、外部表示装置から供給された１行１列の画素の階調を指定する表示データＤvは
、１フレーム後に再度用いるためにメモリ５４１に記憶される。
【００２５】
さて、１行１列の画素に対応する表示データＶidが出力されるとき、走査信号Ｇ1がＨ
レベルであるとともに、サンプリング信号Ｓ1がＨレベルとなる。サンプリング信号Ｓ1がＨレベルであると、１列目のＴＦＴ１４６がオンするので、画像信号線１７１に出力されたデータ信号Ｖidが１列目のデータ線１１４にサンプリングされる。一方、走査信号Ｇ1
がＨレベルであるので、１行１列〜１行６４０列における画素のＴＦＴ１１６がオンする。このため、１列目のデータ線１１４にサンプリングされたデータ信号Ｖidが、１行１列の画素電極１１８に印加される。
以下１行２列〜１行６４０列の画素の階調値を指定する表示データＤvが順番に供給さ
れるが、このような表示データＤvも同様に、それぞれの画素に対応する補償値Ｏdと、係数αとの乗算値が加算された後に正極性の電圧に変換されて、１行２列〜１行６４０列の画素電極１１８に印加される。
この後、走査信号Ｇ1がＬレベルになると、１行１列〜１行６４０列の画素におけるＴ
ＦＴ１１６がオフするが、各画素電極１１８に印加された電圧は、液晶容量１２０の容量性および蓄積容量１０９に保持される。このため、１行１列〜１行６４０列の画素は、表示データＶidの電圧に応じた階調（明るさ）となる。
【００２６】
続いて、２行１列〜２行６４０列の画素の階調値を指定する表示データＤvが順番に供
給されるが、このような表示データＤvも同様に、それぞれの画素に対応する補償値Ｏdと、係数αとの乗算値が加算された後に正極性の電圧に変換されて、２行１列〜２行６４０列の画素電極１１８に印加される。これにより、２行１列〜２行６４０列までの画素は、データ信号Ｖidの電圧に応じた階調となる。
以下、このフレームでは、同様な動作が、３、４、…、４８０行目まで繰り返される。
次のフレームでも同様な動作が行われるが、極性指定信号Ｆrpが反転してＬレベルとなるので、１、２、３、…、４８０行目の各画素には、負極性に変換されたデータ信号Ｖidが書き込まれて、当該データ信号Ｖidの電圧に応じた階調となる。
【００２７】
図５は、極性指定信号ＦrpがＨレベルとなって正極性書込が指定されたフレームにおいて、ｉ行目の走査線とこれに隣接する（ｉ＋１）行目の走査線とが選択される期間におけるデータ信号Ｖidの電圧波形の一例を示す図である。
この図において、電圧Ｖb(+)、Ｖb(-)は、それぞれ最低階調の黒色に相当する正極性、負極性電圧であり、基準電圧Ｖcを中心に対称の関係にある。表示データＤbで指定される値の十進値が「０」のときに最低階調の黒色を指定し、以後当該十進値が大きくなるにつれて明るい階調を指定する場合、本実施形態はノーマリーホワイトモードであるから、データ信号Ｖidの電圧は、正極性に変換する場合であれば、階調値が大きくなるにつれて電圧Ｖb(+)から低位側に振られた電圧となる。
【００２８】
ここで、ｉ行目の走査線が選択されて走査信号ＧiがＨレベルになる期間のうち、例え
ばサンプリング信号Ｓ1がＨレベルになる期間では、データ信号Ｖidは、ｉ行１列の画素
の表示データＤvに、当該画素に対応した補正値α・Ｏdを加算した表示データＤbに応じ
た正極性電圧となり、以降、サンプリング信号の変化に合わせて、２、３、４、…、６４０列目の画素に対応した表示データＤbに応じた正極性電圧に変化する。
続いて選択される（ｉ＋１）行目でも、同様に正極性書込が指定されるので、走査信号Ｇ(i+1)がＨレベルになる期間のうち、例えばサンプリング信号Ｓ1がＨレベルになる期間に、データ信号Ｖidは、（ｉ＋１）行１列の画素の表示データＤvに、当該画素に対応し
た補正値α・Ｏdを加算した表示データＤbに応じた正極性電圧となり、以降、サンプリング信号の変化に合わせて、２、３、４、…、６４０列目の画素の表示データＤbに応じた
正極性電圧に変化する。
【００２９】
なお、次のフレームでは、極性指定信号Ｆrpの論理レベルが反転してＬレベルとなり負極性書込が指定される。このため、図６に示されるように、データ信号Ｖidの電圧は、階調値が大きくなるにつれて電圧Ｖb(-)から高位側に振られた電圧となる。また、データ信号Ｖidは、各画素の階調値に変化がなければ、図５に示した電圧波形を、基準電圧Ｖcを
基準に反転した波形となる。
図５および図６においてデータ信号Ｖidの電圧を示す縦スケールは、便宜的に他の信号における縦スケールよりも拡大してある。また、サンプリング信号Ｓ640がＬレベルに変
化してからサンプリング信号Ｓ1がＨレベルに変化するまでの期間にわたって黒色に相当
する電圧となっているが、その理由は、タイミングずれなどの理由により誤って画素に書き込まれても、表示に寄与させないためである。
【００３０】
対向電極１０８に印加される電圧ＬＣcomは、図５または図６に示されるように、基準
電圧Ｖcよりも低位側に設定される。これは、背景技術の欄で述べたようにプッシュダウ
ンやリーク量の相違等のためである。仮に電圧ＬＣcomを基準電圧Ｖcと一致させた場合、負極性書込による液晶容量１２０の電圧実効値が、正極性書込による実効値よりも若干大きくなってしまう（ＴＦＴ１１６がｎチャネルの場合）。このため、電圧ＬＣcomは、工
場出荷時において、当該差が相殺されるような最適値となるように、基準電圧Ｖcよりも
低位側にオフセットして設定される。
【００３１】
次に、本実施形態において、応答補償の動作について説明する。
従来の応答補償では、図７（ａ）に示されるように、ある画素について表示データＤv
で指定される階調値がＰからＱに明るくなる方向に変化するとき、変化前の階調値Ｐと現行（変化後）の階調値Ｑに対応する補償値Ｏdを現行の表示データＤvに加算して、データ信号に変換されて画素に供給される。このため、低い応答特性を有する液晶が変化に対して過剰に応答するので、当該画素は、階調値Ｑに相当する目的の透過率に迅速に達する。
【００３２】
ただし、このような従来の応答補償を実行する場合において、液晶容量に極性差が生じていると、図７（ｂ）に示されるように、階調値Ｐから階調値Ｑへの変化において、正極性から負極性に応答する場合と負極性から正極性に応答する場合とで差が生じて、いずれかの一方の場合が他方の場合と比較して応答補償が不足気味となる。
なお、ここでは、あるフレームにおいて正極性電圧を保持することによって階調値Ｐに相当する透過率となっている状態で、次のフレームにおいて負極性電圧を書き込むことによって階調値Ｑに相当する透過率へ変化させるときの応答性が、あるフレームにおいて負極性電圧を保持することによって階調値Ｐに相当する透過率となっている状態で、次のフレームにおいて正極性電圧を書き込むことによって階調値Ｑに相当する透過率へ変化させるときの応答性と比較して悪く、応答補償が不足気味となるような極性差が各液晶容量１２０において生じているものとして説明している。
【００３３】
本実施形態では、このような極性差が生じている場合に、階調値がＰからＱへのように明るく変化するときに、それが正極性から負極性への応答であれば、係数決定回路５４３は、α＞１の係数αを出力する。これにより、ＬＵＴ５４２による補償値Ｏdは、乗算回
路５４４によってα倍となり、この乗算値α・Ｏdが、補正した補償値として階調値Ｑを
指定する表示データＤvに、加算回路５４５によって加算されて表示データＤbとなる。す
なわち、図７（ｃ）に示されるように、階調値を明るく変化させる場合に、正極性から負極性に応答するときに不足気味となる補償値が大きくなるように補正される。
一方、本実施形態では、階調値がＰからＱへのように明るく変化するときに、それが負極性から正極性への応答であれば、係数決定回路５４３は、α＝１の係数αを出力する。これにより、ＬＵＴ５４２による補償値Ｏdはそのまま階調値Ｑを指定する表示データＤvに加算されて表示データＤbとなり、応答特性に変化が生じない。
したがって、図７（ｄ）に示されるように、階調値が明るく変化する場合において、正極性から負極性への応答が改善される一方、負極性から正極性への応答が変更されないので、両者の応答がほぼ同じような特性とさせることができる。
【００３４】
なお、階調値がＰからＱへのように明るく変化するときに、正極性から負極性への応答性が、負極性から正極性への応答性に対して悪くなるような極性差が生じている場合に、逆に、図８（ａ）に示されるように階調値がＱからＰへのように暗く変化したとき、図８（ｂ）に示されるように負極性から正極性への応答性が、正極性から負正極性への応答性に対して悪くなる。すなわち、階調変化方向が異なると、応答性の悪くなる極性方向も変化する。
このため、本実施形態では、階調値がＱからＰへのように暗く変化するときに、係数決定回路５４３は、負極性から正極性への応答であれば、α＞１の係数αを出力する一方、正極性から負極性への応答であれば、α＝１の係数αを出力する。これにより、図８（ｃ）に示されるように、負極性から正極性への応答変化の場合には、補償値Ｏｄがα倍されて表示データＤvに加算される一方、正極性から負極性への応答変化の場合には、補償値
Ｏｄがそのまま表示データＤvに加算されて、それぞれ表示データＤbとなる。
したがって、図８（ｄ）に示されるように、階調値が暗く変化する場合において、負極性から正極性への応答が改善される一方、正極性から負極性への応答が変更されないので、両者の応答がほぼ同じような特性とさせることができる。
【００３５】
ところで、図９（ａ）に示されるように階調値の変化量が大きいときと、図９（ｂ）に示されるように階調値の変化量が小さいときとで比較すると、極性差による応答差の影響は、階調値の変化が小さくなるにつれて、大きくなって現れる。
したがって、階調値が明るく変化する場合に正極性から負極性への応答変化するとき、および、階調値が暗く変化する場合に負極性から正極性への応答変化するときに、それぞれ出力する係数αについては、階調値変化が小さくなるにつれて大きくなるような特性となるのが好ましい。
【００３６】
ここでは、階調値が明るくなる方向に変化する場合に正極性から負極性への応答性が負極性から正極性への応答性よりも低下するような極性差が生じている場合を例に挙げて説明したが、これとは反対に、階調値が明るくなる方向に変化する場合に負極性から正極性への応答性が低下するような極性差が生じている場合もあり得る。
この場合には、階調値が明るく変化する場合に負極性から応答変化するとき、および、階調値が暗く変化する場合に正極性から応答変化するときに、係数決定回路５４３がそれぞれα＞１の係数αを出力すれば良い。
また、対向電極１０８に印加される電圧ＬＣcomは、上述したように工場出荷時に最適
値に調整されるので、工場出荷時直後では極性差は生じにくいが、表示パネル１０の経年変化等に起因して極性差が生じると、応答補償に差が生じる。このような経年変化による極性差は、表示パネル１０の機種や製造ロットよって予測できるので、動作時間等に応じて係数αを適切に変化させる構成としても良い。
【００３７】
ただし、このような構成では、経年変化が予測通り変化しなければ、極性差による応答差が生じる。
そこで、図１０に示されるように、表示パネル１０による表示される画面を撮像する光
センサ６２を設けるとともに、予め定められた表示パターン、詳細には、階調値を変化させたパターンを表示させるとともに、当該光センサにより出力信号Ｓnに基づいて負極性
からの応答と正極性からの応答とを測定し、この差がなくなる方向に係数αを校正する構成としても良い。
一方、液晶容量１２０では、表示パネル１０に照射する光量に応じて、いわゆる光リークが生じる。このため、同図に示されるように、点灯時間計測部６４を設けて、光源（ランプ）が点灯した累算時間Ｔaを求め、この累算時間Ｔaに応じて液晶容量１２０における極性差を予測して、係数αを変化させても良い。
【００３８】
また、上述した実施形態では、例えば階調値が明るく変化する場合に、正極性または負極性の一方からの応答性が低いときに、ＬＵＴから出力される補償値をα倍とし、正極性または負極性の他方から応答変化するときにＬＵＴから出力される補償値をそのまま用いる構成として、１つのＬＵＴ５４２で済ます構成とした。
ここで、正極性から負極性に変化する場合と負極性から正極性に変化する場合とについてみたときに、液晶容量の極性差によって応答差がある、ということは、要するに、正極性から負極性に変化する場合と負極性から正極性に変化する場合とでは、最適な応答補償値が異なる、ということである。したがって、図１１に示されるように、正極性から負極性に変化する場合に用いるＬＵＴ５４２ｎと、負極性から正極性に変化する場合に用いるＬＵＴ５４２ｐとの２つを用意し、いずれかのＬＵＴを用いるかについては、階調指定信号Ｆrpで指定される極性に応じてセレクタ５４７で選択する構成としても良い。
詳細には、極性指定信号Ｆrpによって正極性書込が指定された場合、前フレームが負極性であり、現行フレームが正極性であるということを意味するので、セレクタ５４７は、ＬＵＴ５４２ｐによる補償値を選択する。一方、極性指定信号Ｆrpによって負極性書込が指定された場合には、前フレームが正極性であり、現行フレームが負極性であるということを意味するので、セレクタ５４７は、ＬＵＴ５４２ｎによる補償値を選択する。
ＬＵＴ５４２ｐ、５４２ｎには、いずれも極性変化に対応した適切な補償値が記憶されている。
このような構成によっても、極性差による応答特性の差を小さくすることが可能となる。
【００３９】
なお、上述した実施形態では、電圧無印加状態において白色を表示するノーマリーホワイトモードとしたが、電圧無印加状態において黒色を表示するノーマリーブラックモードとしても良い。
【００４０】
＜電子機器＞
次に、上述した実施形態に係る電気光学装置を用いた電子機器の例について説明する。図１２は、上述した電気光学装置１の表示パネル１０をライトバルブとして用いた３板式プロジェクタの構成を示す平面図である。
このプロジェクタ２１００において、ライトバルブに入射させるための光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００４１】
ここで、ライトバルブ１００Ｒ、１００Ｇおよび１００Ｂの構成は、上述した実施形態における表示パネル１０と同様であり、外部上位装置（図示省略）から供給されるＲ、Ｇ、Ｂの各色に対応する画像データでそれぞれ駆動されるものである。
ライトバルブ１００Ｒ、１００Ｇ、１００Ｂによってそれぞれ変調された光は、ダイク
ロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、レンズユニット１８２０によって正転拡大投影されるので、スクリーン２１２０には、カラー画像が表示されることとなる。
【００４２】
なお、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂにより形成される画像と、ライトバルブ１００Ｇにより形成される画像とは左右反転の関係にある。
【００４３】
また、電子機器としては、図１２を参照して説明した他にも、リアプロジェクション型のテレビジョンや、直視型、例えば携帯電話や、パーソナルコンピュータ、ビデオカメラのモニタ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【図面の簡単な説明】
【００４４】
【図１】本発明の実施形態に係る電気光学装置の構成を示すブロック図である。
【図２】同電気光学装置における表示パネルの構成を示す図である。
【図３】同表示パネルにおける画素の構成を示す図である。
【図４】同表示パネルにおける走査線駆動回路の動作を示す図である。
【図５】同表示パネルにおけるデータ信号の電圧波形例を示す図である。
【図６】同表示パネルにおけるデータ信号の電圧波形例を示す図である。
【図７】同電気光学装置における応答補償を示す図である。
【図８】同電気光学装置における応答補償を示す図である。
【図９】同電気光学装置における応答補償を示す図である。
【図１０】実施形態の応用例に係る電気光学装置の構成を示すブロック図である。
【図１１】実施形態の応用例に係る電気光学装置の構成を示すブロック図である。
【図１２】実施形態に係る電気光学装置を用いたプロジェクタの構成を示す図である。
【符号の説明】
【００４５】
１…電気光学装置、１０…表示パネル、５０…処理回路、５２…走査制御回路、５４…データ処理回路、５６…Ｄ／Ａ変換回路、１０５…液晶、１０８…対向電極、１１０…画素、１１２…走査線、１１４…データ線、１１６…ＴＦＴ、１１８…画素電極、１２０…液晶容量、１３０…走査線駆動回路、１４０…データ線駆動回路、１４２…サンプリング信号出力回路、１４６…ＴＦＴ、５４１…メモリ、５４２…ＬＵＴ、５４３…係数決定回路、５４４…乗算回路、５４５…加算回路、２１００…プロジェクタ
【図１】
2009063604.tif 000003
【図２】
2009063604.tif 000004
【図３】
2009063604.tif 000005
【図４】
2009063604.tif 000006
【図５】
2009063604.tif 000007
【図６】
2009063604.tif 000008
【図７】
2009063604.tif 000009
【図８】
2009063604.tif 000010
【図９】
2009063604.tif 000011
【図１０】
2009063604.tif 000012
【図１１】
2009063604.tif 000013
【図１２】
2009063604.tif 000014